(57)【要約】
【課題】テレビ信号の増幅器や分配器、直列ユニット等の機器の接栓座に、少ない労力で簡便かつ確実に着脱できる同軸ケーブル用コネクタを提供する。
【解決手段】シェル３の外周に円筒状のロックカバー５が嵌挿され、ロックカバー５の後方位置におけるシェル３の外周に環状の脱落防止リング４が固定され、且つシェル３の前方部３０が、軸方向の前方にいくに従って拡径されたテーパ状に形成され、そのテーパ状前方部３０につづくシェル３の外周面に多条の雄ネジ３１が形成されていると共に、円筒状ロックカバー５の内周面に多条の雌ネジ５１が形成されている。シェル３のテーパ状前方部３０が接栓座１に嵌着後、ロックカバー５の少ない回転で、ロックカバー５の多条雌ネジ５１がシェル３の多条雄ネジ３１にねじ込まれつつ、ロックカバー５の前方内側面５０がシェル３のテーパ状前方部３０を絞り込み、シェル３のテーパ状前方部３０が接栓座１に締め付け固定される。
【選択図】        図４
0003101258.tif 000002
【実用新案登録請求の範囲】
【請求項１】
略円筒状に形成された導電性のシェルの開口前方部が接栓座に着脱自在であり、当該シェルの後方部に同軸ケーブルが終端処理される同軸ケーブル用コネクタにおいて、
前記シェルの外周に円筒状のロックカバーが嵌挿され、当該ロックカバーの後方位置における前記シェルの外周に環状の脱落防止リングが固定され、且つ前記シェルの前方部が、前方向に漸次拡径されたテーパ状に形成され、そのテーパ状前方部につづく当該シェルの外周面に多条の雄ネジが形成されていると共に、前記円筒状ロックカバーの内周面に多条の雌ネジが形成されており、前記シェルのテーパ状前方部が接栓座に嵌着された後、ロックカバーの少ない回転で、そのロックカバーの多条雌ネジがシェルの多条雄ネジにねじ込まれつつ、当該ロックカバーの前方内側面がシェルのテーパ状前方部を絞り込み、そのシェルのテーパ状前方部が接栓座に締め付け固定自在に構成されていることを特徴とする同軸ケーブル用コネクタ。
【請求項２】
略円筒状に形成された導電性のシェルの開口前方部が接栓座に着脱自在であり、当該シェルの後方部に同軸ケーブルが終端処理される同軸ケーブル用コネクタにおいて、
前記シェルの外周に円筒状のロックカバーが嵌挿され、当該ロックカバーの後方位置における前記シェルの中途部位が湾曲状に拡径されたストッパー部として形成され、且つ前記シェルの前方部が、前方向に漸次拡径されたテーパ状に形成され、そのテーパ状前方部につづく当該シェルの外周面に多条の雄ネジが形成されていると共に、前記円筒状ロックカバーの内周面に多条の雌ネジが形成されており、前記シェルのテーパ状前方部が接栓座に嵌着された後、ロックカバーの少ない回転で、そのロックカバーの多条雌ネジがシェルの多条雄ネジにねじ込まれつつ、当該ロックカバーの前方内側面がシェルのテーパ状前方部を絞り込み、そのシェルのテーパ状前方部が接栓座に締め付け固定自在に構成されていることを特徴とする同軸ケーブル用コネクタ。
【請求項３】
シェルの外周面に形成された多条雄ネジ及びロックカバーの内周面に形成された多条雌ネジが、四条ネジであることを特徴とする、請求項１又は２に記載した同軸ケーブル用コネクタ。
【請求項４】
ロックカバーの内周面に形成された多条雌ネジの代わりに、その多条雌ネジの部位に中心方向に突き出たダボが複数形成され、そのダボがシェルの多条雄ネジにねじ込まれる構成であることを特徴とする、請求項１〜３のいずれか１項に記載した同軸ケーブル用コネクタ。
【請求項５】
シェルのテーパ状前方部の内周に突起部が形成されていると共に、前記テーパ状前方部の基端が薄肉部に形成されており、接栓座に対する着脱が自在に構成されていることを特徴とする、請求項１〜４のいずれか１項に記載した同軸ケーブル用コネクタ。
【請求項６】
テーパ状に拡径されたシェルのテーパ状前方部は、その開口端縁付近が平坦なストレート面に形成されていることを特徴とする、請求項１〜５のいずれか１項に記載した同軸ケーブル用コネクタ。
【考案の詳細な説明】
【技術分野】
【０００１】
本考案は、テレビ信号の増幅器や分配器、直列ユニット等の機器の接栓座と同軸ケーブルを接続するためのコネクタに係り、さらに言えば、同軸ケーブルが終端処理された当該コネクタを、少ない労力で簡便かつ確実に前記機器の接栓座に着脱できる同軸ケーブル用コネクタの技術分野に関する。
【背景技術】
【０００２】
同軸ケーブル用コネクタは、例えば、実公昭５９−２６５４５号公報記載のように、貫通孔を備えたシェルの先端に接続用のナットが取り付けられており、そのナットを使用する「ねじ込み式」のものが周知に属する（図示は省略）。
【０００３】
前記従来のケーブル用コネクタをテレビ信号の増幅器や分配器等と接続するには、そのコネクタ本体（シェル、ナット）と接栓座の中心を同心配置に対向させて保持しつつ、前記接続用ナットを工具又は手指で回転させて接栓座にねじ込むことにより行っている。
【特許文献１】実公昭５９−２６５４５号公報
【考案の開示】
【考案が解決しようとする課題】
【０００４】
従来のように、同軸ケーブル用コネクタの接続用ナットを用いて、接栓座にねじ込む方法は、締結（接続）が確実である。しかし、工具や手指で接続用ナットを何回も回転させてねじ込む作業は大変面倒で煩わしい。しかも、その締結作業が屋内の壁面の狭い場所や屋外での作業となるとより一層手間がかかり作業性が悪い。
【０００５】
一方、前記のようなナットによるねじ込み式でなく、単に接栓座に差し込む「プッシュ式」の同軸ケーブル用コネクタも存する（図示は省略）。しかし、そのようなプッシュ式のコネクタは、締結が簡単だが、抜け落ち易いという不都合がある。
【０００６】
したがって、本考案の目的は、いわゆる「ねじ込み式」と「プッシュ式」の両コネクタの長所を生かして、同軸ケーブルが終端処理される当該コネクタを、テレビ信号の増幅器や分配器、直列ユニット等の機器の接栓座に、少ない労力で簡便かつ確実に着脱できる同軸ケーブル用コネクタを提供することにある。
【課題を解決するための手段】
【０００７】
前記課題を解決するための手段として、請求項１記載の考案の同軸ケーブル用コネクタは、略円筒状に形成された導電性のシェル３の開口前方部３０が接栓座１に着脱自在であり、当該シェル３の後方部３２に同軸ケーブル２が終端処理される同軸ケーブル用コネクタにおいて、
前記シェル３の外周に円筒状のロックカバー５が嵌挿され、当該ロックカバー５の後方位置における前記シェル３の外周に環状の脱落防止リング４が固定され、且つ前記シェル３の前方部３０が、前方向に漸次拡径されたテーパ状に形成され、そのテーパ状前方部３０につづく当該シェル３の外周面に多条の雄ネジ３１が形成されていると共に、前記円筒状ロックカバー５の内周面に多条の雌ネジ５１が形成されており、前記シェル３のテーパ状前方部３０が接栓座１に嵌着された後、ロックカバー５の少ない回転で、そのロックカバー５の多条雌ネジ５１がシェル３の多条雄ネジ３１にねじ込まれつつ、当該ロックカバー５の前方内側面５０がシェル３のテーパ状前方部３０を絞り込み、そのシェル３のテーパ状前方部３０が接栓座１に締め付け固定自在に構成されていることを特徴とする。
【０００８】
請求項２記載の考案の同軸ケーブル用コネクタは、略円筒状に形成された導電性のシェル３の開口前方部３０が接栓座１に着脱自在であり、当該シェル３の後方部３２に同軸ケーブル２が終端処理される同軸ケーブル用コネクタにおいて、
前記シェル３の外周に円筒状のロックカバー５が嵌挿され、当該ロックカバー５の後方位置における前記シェル３の中途部位が湾曲状に拡径されたストッパー部３３として形成され、且つ前記シェル３の前方部３０が、前方向に漸次拡径されたテーパ状に形成され、そのテーパ状前方部３０につづく当該シェル３の外周面に多条の雄ネジ３１が形成されていると共に、前記円筒状ロックカバー５の内周面に多条の雌ネジ５１が形成されており、前記シェル３のテーパ状前方部３０が接栓座１に嵌着された後、ロックカバー５の少ない回転で、そのロックカバー５の多条雌ネジ５１がシェル３の多条雄ネジ３１にねじ込まれつつ、当該ロックカバー５の前方内側面５０がシェル３のテーパ状前方部３０を絞り込み、そのシェル３のテーパ状前方部３０が接栓座１に締め付け固定自在に構成されていることを特徴とする。
【０００９】
請求項３記載の考案の同軸ケーブル用コネクタは、シェル３の外周面に形成された多条雄ネジ３１及びロックカバー５の内周面に形成された多条雌ネジ５１が、四条ネジであることを特徴とする。
【００１０】
請求項４記載の考案の同軸ケーブル用コネクタは、ロックカバー５の内周面に形成された多条雌ネジ５１の代わりに、その多条雌ネジ５１の部位に中心方向に突き出たダボ５２が複数形成され、そのダボ５２がシェル３の多条雄ネジ３１にねじ込まれる構成であることを特徴とする。
【００１１】
請求項５記載の考案の同軸ケーブル用コネクタは、シェル３のテーパ状前方部３０の内周に突起部３０ｆが形成されていると共に、前記テーパ状前方部３０の基端が薄肉部３０ｄに形成されており、接栓座１に対する着脱が自在に構成されていることを特徴とする。
【００１２】
請求項６記載の考案の同軸ケーブル用コネクタは、テーパ状に拡径されたシェル３のテーパ状前方部３０は、その開口端縁付近が平坦なストレート面３０ａに形成されていることを特徴とする。
【考案の効果】
【００１３】
請求項１記載の考案の同軸ケーブル用コネクタは、シェルの外周に円筒状のロックカバーが嵌挿され、当該ロックカバーの後方位置におけるシェルの外周に環状の脱落防止リングが固定され、且つシェルの前方部が、前方向に漸次拡径されたテーパ状に形成され、そのテーパ状前方部につづく当該シェルの外周面に多条の雄ネジが形成されていると共に、円筒状ロックカバーの内周面に多条の雌ネジが形成されているので、シェルのテーパ状前方部が接栓座に嵌着された後、ロックカバーの少ない回転で、そのロックカバーの多条雌ネジがシェルの多条雄ネジにねじ込まれつつ、当該ロックカバーの前方内側面がシェルのテーパ状前方部を絞り込み、そのシェルのテーパ状前方部が接栓座に確実に締め付け固定される。
【００１４】
すなわち、開口されたシェルのテーパ状前方部を接栓座に挿し込むだけで、一応接続できる所謂「ねじ込み式」の利点と、しかる後、ロックカバーを少しだけ回転させてやるだけで、ロックカバーとシェルの多条ネジが互いにねじ込まれつつ、シェルのテーパ状前方部を絞り込み、そのシェルのテーパ状前方部が接栓座に確実に締め付け固定される所謂「プッシュ式」の利点とを併有した、同軸ケーブルと接栓座の簡便で確実な接続が達成される。
【００１５】
請求項２記載の考案の同軸ケーブル用コネクタは、ロックカバーの後方位置のシェルがスカート状に拡径されたストッパー部に形成され、そのストッパー部が脱落防止リングの役目を果たしてロックカバーのシェルからの脱落を確実に阻止すると共に、リング部材不要に伴う部品点数の減少により、製作コストの低減にも寄与する。
【００１６】
請求項３記載の考案の同軸ケーブル用コネクタは、シェルの外周面に形成された多条雄ネジ及びロックカバーの内周面に形成された多条雌ネジが四条ネジに形成されているので、ロックカバーを約９０度回転するだけで、シェルのテーパ状前方部を接栓座に確実に締め付けて固定できる利便性に優れている。
【００１７】
請求項４記載の考案の同軸ケーブル用コネクタは、ロックカバーの内周面に形成された多条雌ネジの代わりに、その多条雌ネジの部位に中心方向に突き出たダボが複数形成され、そのダボがシェルの多条雄ネジにねじ込まれて多条雌ネジの役目を果たすので、多条雌ネジを形成する場合に比べ製作コストの低減化が達成される。
【００１８】
請求項５記載の考案の同軸ケーブル用コネクタは、テーパ状前方部の内周に突起部が形成されていると共に、テーパ状前方部の基端が薄肉部に形成されているので、前記突起部によって接栓座に対し強固に固定できる上、そのように固定されたテーパ状前方部は薄肉部を基点として動き易いから簡単に抜くこともでき、接栓座への着脱作業の容易性が向上される。
【００１９】
請求項６記載の考案の同軸ケーブル用コネクタは、テーパ状に拡径されたシェルのテーパ状前方部の開口端縁付近が平坦なストレート面に形成されているので、ロックカバーの回転によりその前方内側面がシェルのテーパ状前方部を絞り込む際、前記ストレート面上での確実な摩擦力が発揮され、接栓座への締め付け固定作業の万全が図れる。
【考案を実施するための最良の形態】
【００２０】
請求項１〜６記載の本考案の同軸ケーブル用コネクタを、好適に実施するための最良の形態について、図面に従い説明する。
【００２１】
図１は、本考案の同軸ケーブル用コネクタの全体構成を示している。この同軸ケーブル用コネクタは、略円筒状に形成された導電性のシェル３の開口前方部３０が、テレビ信号の増幅器や分配器、直列ユニット等の機器の接栓座１に着脱自在に構成されている（図４参照）。以下、Ｆ型接栓座１における実施形態を説明する。
【００２２】
図２は、本コネクタのシェル３の構成を示している。当該シェル３の前方部３０が、軸方向の前方向にいくに従って漸次拡径されたテーパ状に形成されている。そのテーパ状前方部３０につづく当該シェル３の外周面に四条等の多条の雄ネジ３１が形成されており、後方部３２に同軸ケーブル２が挿し込まれ、かしめ用リング７でかしめて終端処理されるものである（請求項１、図４Ｃ、図５参照）。
【００２３】
当該シェル３の外周に、図３に示した如く円筒状のロックカバー５が嵌挿されている。前記シェル３の外周面に形成された多条の雄ネジ３１に対応して螺合すべく、この円筒状ロックカバー５の内周面に多条の雌ネジ５１が形成されている。これら多条雄ネジ３１と多条雌ネジ５１は、図示例のように四条ネジ（請求項３）で実施する形態が好ましい（但し、図示を省略した他の多条ネジで実施することも可能である）。本実施形態のロックカバー５の四条雌ネジ５１は、図３Ｂに示したように、当該ロックカバー５の後方内周面の全周において等間隔の４箇所からネジ切りすることにより形成されている。このロックカバー５の四条雌ネジ５１に対応してねじ込み可能な四条雄ネジ３１が、シェル３の外周面に形成されている。
【００２４】
前記シェル３の外周に嵌挿された円筒状のロックカバー５の後方位置におけるシェル３の外周に、ロックカバー５の抜け落ちを防ぐ環状の脱落防止リング４が圧入固定されている。
【００２５】
ここで、シェル３の前方部３０の構造を述べる。まず、当該シェル３のテーパ状前方部３０の外周において、その前方部３０の開口端縁から軸方向に切り込むように、スリット３０ｈが等間隔で６箇所形成されている。但し、スリット３０ｈの個数はこの数に限定されず複数であればよい。
【００２６】
このテーパ状前方部３０の開口端縁付近の外周が、平坦なストレート面３０ａに形成されている（請求項６）。以下後方に進むに従って、漸次勾配が設けられたテーパ部３０ｂが形成され、つづいて平坦なストレート面３０ｃが形成され、つづいて肉厚の薄い薄肉部３０ｄが形成されている。即ち、テーパ状前方部３０の基端が薄肉部３０ｄに形成されている。一方、当該テーパ状前方部３０の内周は、開口端縁が平坦なストレート面３０ｅに形成され、つづいて内側に向って若干突き出た突起部３０ｆが形成され、つづいて緩やかな勾配のテーパ部３０ｇが形成されている。
【００２７】
したがって、図４Ａ〜Ｂに示したように、当該テーパ状前方部３０がＦ型接栓座１に嵌着する際、まず、前記内側のストレート面３０ｅによってＦ型接栓座１がスムーズに挿入され、つづく突起部３０ｆにＦ型接栓座１が当接して抜け難くなる。また、内側のテーパ部３０ｇによって、あらゆる太さのＦ型接栓座１が挿入されても接触しながら固定できる。一方、前記薄肉部３０ｄの部位を基点として前方のストレート面３０ｅ、３０ａや突起部３０ｆが動いて外方に広がり易くなっているので、前記突起部３０ｆによってＦ型接栓座１に強固に固定された本コネクタのテーパ状前方部３０を容易に抜くこともでき、接栓座１に対する着脱が自在である（請求項５）。
【００２８】
次に、図４Ｃに示した如く、当該テーパ状前方部３０の外周にロックカバー５を締め付ける際、前記ストレート面３０ｃではロックカバー５を遊動できて扱い易く、つづくテーパ部３０ｂの部分でロックカバー５の前方内側面５０が回転しながら接触しつつ絞り込み、最後のストレート面３０ａにおいて、ロックカバー５（内側面５０）を最終的に締め付けることができるのである。
【００２９】
要するに、前記シェル３のテーパ状前方部３０がＦ型接栓座１に嵌着された後、ロックカバー５を９０度ぐらいの僅かに回転させるだけで、そのロックカバー５の四条雌ネジ５１がシェル３の四条雄ネジ３１にねじ込まれる。その際、当該ロックカバー５の前方内側面５０がシェル３のテーパ状前方部３０を絞り込み、そのシェル３のテーパ状前方部３０がＦ型接栓座１に確実に締め付けられる（請求項１）。
【００３０】
なお、図７に例示したように、前記ロックカバー５の多条（四条）雌ネジ５１の代わりに、その多条雌ネジ５１の部位に中心方向に突き出たダボ５２を複数形成し、そのダボ５２がシェル３の多条雄ネジ３１にねじ込まれる形態により実施することも可能である（請求項４）。
【００３１】
図５は、前記シェル３の内部に中心コンタクト６を装着した実施形態を示している。このシェル３の内部には圧入ワッシャ３４と絶縁体３５が予め装着されており、同軸ケーブル２の芯線２０の先端にハンダ付けされた中心コンタクト６が、図中右側から当該シェル３の後方部３２に同軸ケーブル２が挿し込まれつつ、絶縁体３５の中心を通って装着されている。このような中心コンタクト６が装着されたシェル３においても、前記同様に、図示を省略したロックカバー５の四条雌ネジ５１が当該シェル３の四条雄ネジ３１に簡便かつ確実にねじ込み可能である。
【００３２】
図６は、前記の如き脱落防止リング４が不要な実施形態を示している（請求項２）。同図のコネクタは、ロックカバー５が嵌挿されたシェル３の後方部３２寄りの中途部位が、末広がり状に湾曲して拡径されたスカート状のストッパー部３３として形成され、そのストッパー部３３が脱落防止リングの役目を果たしている。
【００３３】
このシェル３の中途部位に形成されたストッパー部３３の他は、上述したシェル３と略同じ構成なので、やはり前記同様に僅かな回転力で、図示を省略したロックカバー５の四条雌ネジ５１が当該シェル３の四条雄ネジ３１に簡便かつ確実にねじ込まれる。そして、ロックカバー５を逆回転させてロックを解除しても、ロックカバー５は当該ストッパー部３３に当接して止まり、脱落する虞れがなく使い勝手がよいのである。
【図面の簡単な説明】
【００３４】
【図１】Ａ、Ｂは、同軸ケーブル用コネクタを示した正面図と側面図である。
【００３５】
【図２】Ａ、Ｂ、Ｃは、コネクタのシェルを示した正面図と一部切欠縦断面図と前方部の拡大図である。
【００３６】
【図３】Ａ、Ｂは、ロックカバーの一部切欠縦断面図と縦断面図である。
【００３７】
【図４】Ａ、Ｂ、Ｃは、コネクタのＦ型接栓座への締め付け要領を示した縦断面図である。
【００３８】
【図５】中心コンタクト付きシェルを示した一部切欠縦断面図である。
【００３９】
【図６】ストッパー部を有する異なるシェルを示した一部切欠縦断面図である。
【００４０】
【図７】Ａ、Ｂは、ダボ付きロックカバーの側面図と一部切欠縦断面図である。
【符号の説明】
【００４１】
１      接栓座
２      同軸ケーブル
３      シェル
３０    テーパ状前方部
３０ａ  ストレート面
３０ｆ  突起部
３１    多条（四条）雄ネジ
３２    後方部
３３    ストッパー部
４      脱落防止リング
５      ロックカバー
５０    前方内側面
５１    多条（四条）雌ネジ
５２    ダボ
【図１】
0003101258.tif 000003
【図２】
0003101258.tif 000004
【図３】
0003101258.tif 000005
【図４】
0003101258.tif 000006
【図５】
0003101258.tif 000007
【図６】
0003101258.tif 000008
【図７】
0003101258.tif 000009